(57)【要約】【課題】異音による不快感を防止できる冷蔵庫を提供する。【解決手段】断熱壁４により囲まれる貯蔵室３と、断熱壁４に当接して貯蔵室３を開閉する扉１０と、貯蔵物を載置する載置棚１４と、貯蔵室３の内壁に突設して載置棚１４を設置する設置部１７と、貯蔵室３に冷気を吐出する吐出口３０ａと貯蔵室３から冷気が流入する戻り口３４ａとを有する循環経路６、７、３０、３３と、循環経路６内に配される送風ファン９とを備え、断熱壁４は貯蔵室３内と外部とを連通させる連通路１９を有する。【選択図】図３
2010025457.tif 000002
【特許請求の範囲】
【請求項１】
断熱壁により囲まれる貯蔵室と、前記断熱壁に当接して前記貯蔵室を開閉する扉と、貯蔵物を載置する載置棚と、前記貯蔵室の内壁に設けられて前記載置棚を設置する設置部と、前記貯蔵室に冷気を吐出する吐出口と前記貯蔵室から冷気が流入する戻り口とを有する循環経路と、前記循環経路内に配される送風ファンとを備え、前記断熱壁は前記貯蔵室内と外部とを連通させる連通路を有することを特徴とする冷蔵庫。
【請求項２】
前記循環経路は前記送風ファンの上流側の最小流路面積が下流側の最小流路面積よりも大きいことを特徴とする請求項１に記載の冷蔵庫。
【請求項３】
前記循環経路内の前記送風ファンの上流側に配される冷却器を備え、前記送風ファンの下流側の流路を前記冷却器の側方に配置したことを特徴とする請求項２に記載の冷蔵庫。
【請求項４】
前記扉は前記貯蔵室の一端に枢支され、前記連通路の外部側の開口部を前記扉の枢支側に設けたことを特徴とする請求項１〜請求項３のいずれかに記載の冷蔵庫。
【請求項５】
前記扉を軸支するヒンジピンと、前記断熱壁の前面に取り付けられる取付部と前記取付部の一端から屈曲して前記ヒンジピンを保持する保持部とを有したＬ字型のアングルとを備え、前記アングルの屈曲部分の近傍に前記開口部を配置したことを特徴とする請求項４に記載の冷蔵庫。
【発明の詳細な説明】
【技術分野】
【０００１】
本発明は、貯蔵物を載置する載置棚を貯蔵室内に設けた冷蔵庫に関する。
【背景技術】
【０００２】
従来の冷蔵庫は扉で開閉される冷蔵室等の貯蔵室を備え、貯蔵室内には貯蔵物を載置する載置棚が設けられる。載置棚は貯蔵室の側壁に突設された前後に延びるレール状の設置部上に設置される。貯蔵室の背後には冷気が流通する循環経路が設けられる。循環経路は貯蔵室に冷気を吐出する吐出口と貯蔵室から冷気が戻る戻り口とを有している。
【０００３】
循環経路内には送風ファン及び冷却器が設置される。冷却器は圧縮機に接続され、圧縮機により運転される冷凍サイクルの低温側に配される。循環経路を流通する空気が冷却器と熱交換して冷気が生成される。
【０００４】
扉を開いて貯蔵物を出し入れする際には圧縮機及び送風ファンが停止される。扉を閉じた際に貯蔵室内に外気が流入して室内温度が設定温度よりも高くなると圧縮機及び送風ファンが駆動される。これにより、循環経路内を空気が流通し、冷却器と熱交換した冷気が吐出口から貯蔵室に吐出される。貯蔵室に吐出された冷気は貯蔵室内を流通し、戻り口から循環経路に戻る。これにより、貯蔵室内の冷却が行われる。
【０００５】
また、特許文献１には扉の内外を貫通する連通路を有した冷蔵庫が開示される。この冷蔵庫は扉を閉じた状態では把手により連通路の開放端が塞がれ、冷気漏れが防止される。扉を開く際に扉の把手を引くと、連通路により貯蔵室内と外部とが連通する。これにより、扉の開成時に連通路から外気が流入して扉開閉の負荷を軽減することができる。
【０００６】
【特許文献１】特開平１１−８３２８７号公報（第２頁−第４頁、第３図）
【発明の開示】
【発明が解決しようとする課題】
【０００７】
しかしながら、上記前者の冷蔵庫によると、扉を閉じて送風ファンが駆動されると、貯蔵室の内圧が変化する場合がある。即ち、循環経路が送風ファンの上流側で下流側よりも広い流路面積を有する場合等には、送風ファンの駆動開始時に戻り口から循環経路に流入する冷気量が吐出口から吐出される冷気量よりも多くなる。
【０００８】
これにより、貯蔵室内が低圧になり、貯蔵室の壁面が内側に縮む。その後、送風ファンの送風が安定すると貯蔵室内が常圧になり、貯蔵室の壁面が平常状態に復帰する。この時、貯蔵室の側壁に設けた設置部が移動するため載置棚と摺動して異音が発生する。このため、使用者に不快感を与える問題があった。
【０００９】
同様に、循環経路が送風ファンの上流側で下流側よりも狭い流路面積を有する場合等には送風ファンの駆動開始時に貯蔵室内が高圧になり、貯蔵室の壁面が外側に膨らむ。その後、送風ファンの送風が安定すると貯蔵室内が常圧になり、貯蔵室の壁面が平常状態に復帰する。これにより、設置部が移動し、載置棚と摺動して異音が発生する。
【００１０】
また、特許文献１に開示された冷蔵庫の場合も扉の閉止時には連通路が塞がれているため、同様に送風ファンの駆動開始時に貯蔵室の壁面が伸縮して異音が発生する。
【００１１】
本発明は、異音による不快感を防止できる冷蔵庫を提供することを目的とする。
【課題を解決するための手段】
【００１２】
上記目的を達成するために本発明は、断熱壁により囲まれる貯蔵室と、前記断熱壁に当接して前記貯蔵室を開閉する扉と、貯蔵物を載置する載置棚と、前記貯蔵室の内壁に設けられて前記載置棚を設置する設置部と、前記貯蔵室に冷気を吐出する吐出口と前記貯蔵室から冷気が流入する戻り口とを有する循環経路と、前記循環経路内に配される送風ファンとを備え、前記断熱壁は前記貯蔵室内と外部とを連通させる連通路を有することを特徴としている。
【００１３】
この構成によると、貯蔵室の側壁には設置部が設けられ、設置部上に載置棚が設置される。載置棚上には貯蔵物が載置され、扉を閉じると断熱壁に扉が当接して貯蔵室の開口が塞がれる。扉が閉じられると外気流入による貯蔵室内の温度上昇に応じて送風ファンが駆動される。これにより、貯蔵室内の冷気は戻り口から循環経路に流入し、冷気が吐出口から吐出される。この時、例えば送風ファンの上流側の流路面積が下流側よりも広いと、貯蔵室内が低圧になる。その結果、連通路から貯蔵室内に外気が流入する。また、送風ファンの上流側の流路面積が下流側よりも狭いと、貯蔵室内が高圧になる。その結果、連通路を介して貯蔵室内の空気が外部に流出する。これにより、貯蔵室内が常圧に維持され、貯蔵室の壁面の伸縮が低減される。
【００１４】
また本発明は、上記構成の冷蔵庫において、前記循環経路は前記送風ファンの上流側の最小流路面積が下流側の最小流路面積よりも大きいことを特徴としている。この構成によると、送風ファンの駆動開始時に貯蔵室の内圧が減少する。
【００１５】
また本発明は、上記構成の冷蔵庫において、前記循環経路内の前記送風ファンの上流側に配される冷却器を備え、前記送風ファンの下流側の流路を前記冷却器の側方に配置したことを特徴としている。
【００１６】
この構成によると、冷却器で熱交換した空気が送風ファンにより送出され、冷却器の側方に配された流路を通って貯蔵室に送出される。冷却器は送風ファンの上流側に配され、送風ファンの上流側の循環経路の流路面積が広く形成される。送風ファンの下流側の循環経路は冷却器の側方に配され、流路面積が狭くなる。
【００１７】
また本発明は、上記構成の冷蔵庫において、前記扉は前記貯蔵室の一端に枢支され、前記連通路の外部側の開口部を前記扉の枢支側に設けたことを特徴としている。この構成によると、扉は一端が枢支され、他端を引いて開かれる。扉を閉じた際に送風ファンが駆動されると、扉の枢支側に配された開口部を介して空気が流出入する。
【００１８】
また本発明は、上記構成の冷蔵庫において、前記扉を軸支するヒンジピンと、前記断熱壁の前面に取り付けられる取付部と前記取付部の一端から屈曲して前記ヒンジピンを保持する保持部とを有したＬ字型のアングルとを備え、前記アングルの屈曲部分の近傍に前記開口部を配置したことを特徴としている。
【００１９】
この構成によると、断熱壁の前面にはアングルの取付部が取り付けられ、取付部の一端から屈曲した保持部に保持されるヒンジピンにより扉が枢支される。アングルの取付部と保持部との境界の屈曲部分の近傍に連通路が開口する。
【００２０】
また本発明は、上記構成の冷蔵庫において、前記連通路の前記貯蔵室側の開口部近傍に卵を収納する卵収納ポケットを設けたことを特徴としている。
【００２１】
また本発明は、上記構成の冷蔵庫において、前記設置部と前記載置棚の間に低摩擦部材を設けたことを特徴としている。
【発明の効果】
【００２２】
本発明によると、断熱壁に連通路を設けたので扉を閉じて送風ファンが駆動開始された時に貯蔵室の内圧の変動を低減することができる。これにより、設置部と載置棚との摺動による異音を防止し、使用者の不快感を防止することができる。
【発明を実施するための最良の形態】
【００２３】
以下に本発明の実施形態を図面を参照して説明する。図１、図２は一実施形態の冷蔵庫を示す側面断面図及び正面断面図である。冷蔵庫１は上部に冷凍室２が設けられ、冷凍室２の下方には冷蔵室３（貯蔵室）が設けられる。冷凍室２及び冷蔵室３は断熱箱体を形成する断熱壁４、５によって周囲が囲まれ、断熱壁４により冷凍室２と冷蔵室３との間が仕切られる。また、冷蔵室３の後方には機械室４８が設けられる。機械室４８内には冷凍サイクルを運転する圧縮機４９が配される。
【００２４】
冷凍室２の前面は扉１０により開閉され、冷蔵室３の前面は扉１１により開閉される。扉１０、１１は詳細を後述するヒンジピン２３により枢支される。冷蔵室３の扉１１には枢支側の上部に卵を収納する卵収納ポケット５２が設けられている。
【００２５】
冷凍室２の背後には冷凍室ダクト６が設けられる。冷凍室ダクト６の前面側の上部には吐出口６ａが設けられ、下部には戻り口６ｂが設けられる。冷凍室ダクト６内には冷気を生成する冷却器７が配される。冷却器７は圧縮機４９に接続され、冷凍サイクルの運転により冷却される。
【００２６】
冷凍室ダクト６内の冷却器７の上方には送風ファン９が配される。冷却器７の下方には冷却器７を除霜する除霜ヒータ４５が設けられる。除霜ヒータ４５の下方には除霜水を回収するドレンパン４６が設けられる。また、冷凍室ダクト６は送風ファン９の排気側で分岐して冷却器７の右方に配された連結通路２７を有している。
【００２７】
冷蔵室３内には透明な樹脂成形品により形成して貯蔵物を載置する複数の載置棚１４が設けられる。冷蔵室３の側壁には前後に延びたレール状の設置部１７が突設される。設置部１７は上下に複数段設けられ、載置棚１４は設置部１７の上面に載せられて高さ方向の位置を貯蔵物に合わせて適時変えられるようになっている。尚、設置部１７は冷蔵室３の側壁に前後に延びた溝状に凹設してもよい。
【００２８】
冷蔵室３の背後には鉛直方向に延びた吐出通路３０及び戻り通路３４が並設される。吐出通路３０は戻り通路３４の左右にそれぞれ配された左通路３１及び右通路３２を有している。左通路３１と右通路３２とは上部で横方向に延びる分配部３３により連結されている。分配部３３の右端部には冷蔵室ダンパ３５が配され、冷蔵室ダンパ３５を介して連結通路２７と分配部３３とが連通する。
【００２９】
左通路３１の左側面及び右通路３２の右側面には冷気を吐出する複数の吐出口３０ａがそれぞれ設けられる。また分配部３３の左右方向の中央部には、冷蔵室３の上部に配された低温室（不図示）に冷気を吐出する吐出口３０ｂが設けられる。
【００３０】
戻り通路３４の下端には冷蔵室から冷気が流入する戻り口３４ａが設けられる。戻り通路３４の上部は左右に分岐し、左右の連通口３４ｂを介して冷凍室ダクト６に連通する。従って、冷凍室ダクト６、連結通路２７、吐出通路３０及び戻り通路３４は冷蔵室３を冷却する冷気が循環する循環経路を構成する。送風ファン９の下流側の循環経路は冷凍室ダクト６、連結通路２７及び吐出通路３０により形成される。送風ファン９の上流側の循環経路は戻り通路３４及び冷凍室ダクト６により形成される。
【００３１】
尚、ドレンパン４６から導出されるドレンパイプ４７は上部で左右に分岐した戻り通路３４の間を通り、戻り通路３４の後方に配される。ドレンパイプ４７により機械室４９に配される蒸発皿（不図示）に除霜水が導かれる。
【００３２】
戻り通路３４の上部前方には前面を透明なランプカバー４１で覆われたランプ室４２が設けられ、ランプ室４２内にランプ４０が配される。載置棚１４が透明な樹脂から成るため、ランプ４０の出射光は各載置棚１４を透過する。これにより、冷蔵室３の下部まで照明することができる。
【００３３】
ランプ室４２の下方には吐出通路３０及び戻り通路３４の下部を覆う部材３７が配される。部材３７はアルミニウムやステンレス等の金属板により形成され、高い熱伝導率を有する。熱伝導率の高い樹脂により部材３７を形成してもよい。部材３７を金属により形成すると、ランプ４０の出射光が部材３７で反射し、冷蔵室３内をより明るくすることができる。
【００３４】
部材３７は熱伝導率が高いため吐出通路３０及び戻り通路３４を流通する冷気の冷熱が冷蔵室３内に放出される。これにより、冷蔵室３の温度分布を均一にすることができる。この時、吐出通路３０を流通する冷気の温度（約−１２〜−８℃）は戻り通路３４を流通する冷気の温度（約−２〜１℃）よりも低くなっている。しかし、吐出通路３０及び戻り通路３４が並設されるため部材３７の表面が熱伝導によって一様な温度になり、冷蔵室３の温度分布を容易に均一にすることができる。
【００３５】
図３は冷凍室２と冷蔵室３とを仕切る断熱壁４の要部を示す側面断面図である。断熱壁４は樹脂成形品から成る上カバー４ａと下カバー４ｂとの間に発泡断熱材４ｃが充填されている。上カバー４ａは下方に延びる前面部４ｄを前面側に有し、前面部４ｄにより発泡断熱材４ｃの前方を覆っている。
【００３６】
上カバー４ａの前面部４ｄには前方に突出した突出部４ｆが上下端に形成され、上下の突出部４ｆ間に複数の突起リブ４ｅが突設される。上下の突出部４ｆ間には突起リブ４ｅに当接する外装板２１が取り付けられる。外装板２１は断面コ字型に形成されたカラー鋼板等の金属板から成り、上下の突出部４ｆの間に嵌合される。
【００３７】
外装板２１によって断熱壁４の前面を覆って美感を向上する。上下の突出部４ｆを上カバー４ａと一体成形するため突出部４ｆ間の幅を高精度に形成することができ、外装板２１を容易に嵌合することができる。また、突起リブ４ｅによって外装板２１と上カバー４ａの前面部４ｄとの間にはダクト部１９が形成される。
【００３８】
外装板２１は突出部４ｆから０．５ｍｍ程度前方に突出して配される。また、ヒンジピン２３により枢支される扉１０、１１の周囲にはパッキン５０、５１が設けられ、パッキン５０、５１が外装板２１に密着して冷凍室２及び冷蔵室３が閉じられる。この時、外装板２１に密着するパッキン５１と下方の突出部４ｆとの間には隙間２４が形成される。
【００３９】
外装板２１にはヒンジピン２３を支持するアングル２２が取り付けられる。アングル２２はＬ字型に屈曲し、外装板２１に取り付けられる取付部２２ａと取付部２２ａの下端から前方に屈曲してヒンジピン２３を保持する保持部２２ｂとを有する。尚、外装板２１を樹脂成形品により形成してもよい。
【００４０】
図４は扉１０、１１を取付ける前の断熱壁４を示す正面図である。図５は図４の要部を示す側面断面図である。外装板２１にはアングル２２を取り付ける取付孔２１ｃが設けられ、取付孔２１ｃの下方に複数の開口部２１ａが開口する。開口部２１ａは扉１０、１１を閉じた状態でパッキン５０、５１間に配され、外部に臨んで設けられる。開口部２１ａは直径が３ｍｍ以下の小孔から成り、外部からの昆虫等の侵入を防止することができる。本実施形態では直径３ｍｍの小孔を６個形成しており、開口面積は約４２ｍｍ2になっている。
【００４１】
また、外装板２１の下面前端には幅Ｗが約１００ｍｍの開口部２１ｂが形成される。開口部２１ｂの後部は突出部４ｆにより塞がれるため、開口部２１ｂの開口面積は約５０ｍｍ2（奥行約０．５ｍｍ、幅Ｗ約１００ｍｍ）になっている。即ち、開口面積が約５０ｍｍ2のスリット状の開口部２１ｂが隙間２４を介して冷蔵室３に臨んで設けられる。これにより、ダクト部１９は開口部２１ａ、２１ｂを介して外部と冷蔵室３内とを連通させる連通路を形成する。尚、下方の突出部４ｆと外装板２１の下面との間に隙間を設けてダクト部１９と冷蔵室３とを連通させてもよい。
【００４２】
図６は外装板２１にアングル２２を取り付けた状態を示す正面図である。アングル２２の取付部２２ａには取付孔２２ｃが開口する。外装板２１は背後に設けた取付板（不図示）とアングル２２で挟まれ、取付孔２１ｃ、２２ｃに挿通した取付ネジ（不図示）で取付板にアングル２２がビス止めされる。アングル２２は外装板２１の右側方に突出し、突出した部分の保持部２２ｂにヒンジピン２３がカシメ等により取り付けられて保持される。
【００４３】
この時、外装板２１の開口部２１ａの近傍に取付部２２ａと保持部２２ｂとの屈曲部分が配される。取付部２２ａと保持部２２ｂとの屈曲部分は外面が曲率を有するため、開口部２１ａを塞がずに正面から見てアングル２２が開口部２１ａに一部重なって配置される。
【００４４】
開口部２１ａが扉１１の枢支側に設けられるため、扉１１によって開口部２１ａが視認されにくくなる。また、アングル２２の屈曲部分の近傍に開口部２１ａが配されるため、アングル２２によって開口部２１ａが更に視認されにくくなる。これにより、美感を向上することができる。
【００４５】
上記構成の冷蔵庫１において、送風ファン９の駆動によって冷凍室ダクト６を流通する空気は冷却器７と熱交換して冷気が生成される。冷却器７により生成された冷気は吐出口６ａから矢印Ｅ１（図１参照）に示すように冷凍室２内に吐出される。冷凍室２に吐出された冷気は冷凍室２内を流通して貯蔵物を冷却し、戻り口６ｂを介して冷却器７に戻る。
【００４６】
また、送風ファン９の排気側で冷気は矢印Ｅ２（図２参照）に示すように分岐し、連結通路２７を流通する。連結通路２７を流通する冷気は冷蔵室ダンパ３５を介して吐出通路３０に流入する。吐出通路３０に流入した冷気は分配部３３を通って矢印Ｅ３、Ｅ４に示すように左通路３１及び右通路３２を流通する。
【００４７】
左通路３１及び右通路３２を流下する冷気は吐出口３０ａから矢印Ｅ５（図２参照）に示すように冷蔵室３内に吐出される。この時、吐出口３０ａは左通路３１及び右通路３２の側面に設けられるため、側方に向けて吐出される。これにより、冷気が貯蔵物に直接当ることによる貯蔵物の乾燥が抑制される。また、左通路３１及び右通路３２を流下する冷気の冷熱は部材３７を介して冷蔵室３に放出される。
【００４８】
分配部３３を流通する冷気の一部は吐出口３０ｂから低温室（不図示）に吐出される。低温室は冷蔵室ダンパ３５を通過した冷気が直ちに供給されるため低温に維持される。低温室を冷却した冷気は吐出口３０ａから吐出された冷気と合流する。
【００４９】
尚、低温室内の冷気の冷熱や冷却された貯蔵物の冷熱は低温室の下面から下方へ放出される。低温室の下方に配された貯蔵物は低温室の前方に送られる冷気の降下により直接冷却され、低温室の下面側から放出される冷熱により間接冷却される。
【００５０】
これにより、吐出口３０ａから吐出される冷気の量を少なくしても冷蔵室３の下部を充分冷却することができる。特に下段の吐出口３０ａから吐出される冷気量を抑えることができ、冷気が貯蔵物に直接当ることによる貯蔵物の乾燥を極力抑制できるようになる。
【００５１】
冷蔵室３内に吐出された冷気は矢印Ｅ６（図１参照）に示すように載置棚１４に沿って前方へ流通する。吐出口３０ａが上下方向に複数設けられるので複数の載置棚１４により仕切られた各段の貯蔵物を容易に冷却することができる。尚、吐出口３０ａが設けられない段の貯蔵物の場合は、上下の載置棚１４に沿って流通する冷気により載置棚１４を介して間接的に冷却される。
【００５２】
載置棚１４に沿って流通する冷気は載置棚１４の前方で矢印Ｅ７（図１参照）に示すように降下する。冷蔵室３の前部を降下した冷気は矢印Ｅ８（図１参照）に示すように冷蔵室３の下部を流通し、矢印Ｅ９（図１参照）に示すように戻り口３４ａを介して戻り通路３４に流入する。
【００５３】
戻り通路３４に流入した冷気は矢印Ｅ１０（図１、図２参照）に示すように上昇する。戻り通路３４を上昇する冷気の冷熱は部材３７を介して冷蔵室３内に放出される。戻り通路３４を上昇する冷気は上部で矢印Ｅ１１、Ｅ１２（図２参照）に示すように分岐し、連通口３４ｂを介して冷凍室ダクト６に流入する。これにより、冷蔵室３内が冷却され、冷気が冷却器７に戻って循環する。
【００５４】
左右に設けた連通口３４ｂを介して冷気を冷却器７に戻すため、連通口３４ｂの開口面積を適切に形成することによって冷却器７に戻る冷気量を調整できる。これにより、冷却器７の霜付きの状態を容易に調整することができ、左右方向で均一に霜を付着させることができる。
【００５５】
従って、除霜の効率を向上することができ、除霜時間の短縮による省電力化を図ることができる。特に、冷却器７の左右方向の幅が大きい場合に該効果が大きい。このため、冷却器７の左右方向の幅を大きくすると、冷却器７の熱交換量が増加して冷却効率の向上が図られるとともに除霜時の電力消費を抑制することができる。
【００５６】
扉１０、１１が開かれると、圧縮機４９及び送風ファン９の駆動が停止される。これにより、冷凍室２内または冷蔵室３内から冷気が流出する際の運転を停止して省電力化が図られる。
【００５７】
扉１０、１１が閉じられると外気の流入によって冷凍室２や冷蔵室３の温度が上昇し、圧縮機４９及び送風ファン９が駆動される。冷却器７は熱交換面積を広くするために横幅が広く形成され、連結通路２７の流路面積（例えば、約２８００ｍｍ2）が戻り通路３４の流路面積（例えば、約３５００ｍｍ2）よりも狭く形成されている。このため、送風ファン９の下流側の循環経路が上流側の循環経路よりも流路面積が狭い。
【００５８】
これにより、送風ファン９の駆動開始時に冷蔵室３から戻り通路３４に戻る冷気量が冷蔵室３に吐出される冷気量よりも多くなり、冷蔵室３が低圧状態になる。その結果、断熱壁４に設けたダクト部１９を介して外気が冷蔵室３に流入し、冷蔵室３内が常圧に維持される。尚、ダクト部１９による連通路が設けられない場合は冷蔵室３が例えば、−３０Ｐａ程度減圧される。
【００５９】
冷蔵室３への吐出量と冷蔵室３からの吸込み量とが同等（例えば、約１０ｍ3／ｈ）の安定状態になると、ダクト部１９からの外気流入が停止される。冷蔵室３が低圧状態になって安定状態になるまでの時間は約１５秒から３０秒である。この時の外気の流入量は約４．４１×１０-3ｍ3程度である。冷蔵室３の庫内容積は例えば、４．１５×１０-1ｍ3程度であるため庫内容積に比して外気流入量が微量であり、庫内の冷却に殆ど影響しない。ダクト部１９の開口部２１ａ、２１ｂの開口面積を１００ｍｍ2以下に小さくすることで冷却に影響を与えない程度に外気流入量を少なくすることができる。
【００６０】
また、安定状態では開口部２１ａ、２１ｂの開口面積を小さくすることで、外気流入を抑制することができる。加えて、開口部２１ｂはダクト部１９の下部に配されるため、温度の高い外気が下方の冷蔵室３の冷気と対流によって入れ替わる可能性が少ない。従って、熱ロスを抑制して効率のよい冷却を行うことができる。
【００６１】
本実施形態によると、断熱壁４に冷蔵室３と外部とを連通させる連通させるダクト部１９（連通路）が設けられる。この時、冷気の循環経路は送風ファン９の上流側の最小流路面積が下流側の最小流路面積よりも大きいため、扉１１を閉じて送風ファン９の駆動開始時に冷蔵室３の内圧の低下を低減することができる。これにより、冷蔵室３の内壁が縮むために設置部１７と載置棚１４とが摺動して発生する異音を防止し、使用者の不快感を防止することができる。
【００６２】
尚、冷気の循環経路は送風ファン９の上流側の最小流路面積が下流側の最小流路面積よりも小さい場合も同様に、扉１１を閉じて送風ファン９の駆動開始時に冷蔵室３の内圧の上昇をダクト部１９によって低減する。これにより、冷蔵室３の内壁が膨らむために設置部１７と載置棚１４とが摺動して発生する異音を防止することができる。
【００６３】
また、熱交換面積の増加のために冷却器７の横幅を大きく形成し、冷却器７の側方に配した連結通路２７の流路面積が狭くなった場合に特に大きな効果を奏することができる。
【００６４】
また、ダクト部１９の開口部２１ａ、２１ｂが小孔やスリットから成り、開口面積が小さいので安定状態での熱ロスを抑制して効率のよい冷却を行うことができる。
【００６５】
また、ダクト部１９の外部側の開口部２１ａを扉１１の枢支側に設けたので、開口部２１ａが見えにくくなり、冷蔵庫３の美感を向上することができる。
【００６６】
また、扉１１を枢支するヒンジピン２３が保持されるアングル２２の屈曲部近傍に開口部２１ａを配置したので、開口部２１ａをより見えにくくすることができる。
【００６７】
また、ダクト部１９の冷蔵室３側の開口部２１ｂ近傍に卵収納ポケット５２を設けたので、比較的高い温度で保存できる卵に開口部２１ｂから流入した外気が接触して外気の熱が吸収される。従って、外気流入による冷蔵室３内の他の貯蔵物に対する悪影響を低減することができる。
【００６８】
本実施形態において、設置部１７と載置棚１４の間に低摩擦部材を設けてもよい。図７はこの状態の設置部１７及び載置棚１４を示す正面断面図である。載置棚１４の端部下面にはテフロン（登録商標）等の低摩擦部材１６が嵌着され、冷蔵室３の側壁に設けた設置部１７に低摩擦部材１６が接して配される。これにより、設置部１７と載置棚１４との摺動による異音をより確実に防止することができる。
【００６９】
また、冷蔵室３と冷凍室２とを仕切る断熱壁４にダクト部１９を形成しているが、冷蔵室３の側面や底面を形成する断熱壁５にダクト部１９を形成してもよい。
【００７０】
また、ダクト部１９に通気性を有したフィルターを設けるとより望ましい。これにより、庫外から流入する塵埃を捕集して塵埃の流入を防止することができる。また、ダクト部１９での自然対流による外気の庫内側への流入を抑制することができ、効率よい冷却にも役立つ。
【００７１】
更に、該フィルターをステンレスや銀製のワイヤーにより形成すると、除菌効果も得られる。また、外装板２１の庫内側の面に開口部２１ａを開閉する板バネ状の弁を設けてもよい。これにより、安定状態での外気の流入を防止することができる。
【産業上の利用可能性】
【００７２】
本発明によると、貯蔵物を載置する載置棚を貯蔵室内に設けた冷蔵庫に利用することができる。
【図面の簡単な説明】
【００７３】
【図１】本発明の実施形態の冷蔵庫を示す側面断面図
【図２】本発明の実施形態の冷蔵庫を示す正面断面図
【図３】本発明の実施形態の冷蔵庫の断熱壁の要部を示す側面断面図
【図４】本発明の実施形態の冷蔵庫の扉を取付ける前の断熱壁を示す正面図
【図５】本発明の実施形態の冷蔵庫の扉を取付ける前の断熱壁の要部を示す側面断面図
【図６】本発明の実施形態の冷蔵庫のアングルを取り付けた状態の断熱壁を示す正面図
【図７】本発明の実施形態の冷蔵庫の他の態様を示す載置棚及び設置部の正面断面図
【符号の説明】
【００７４】
１    冷蔵庫
２    冷凍室
３    冷蔵室
４、５  断熱壁
６    冷凍室ダクト
７    冷却器
９    送風ファン
１０、１１  扉
１４    載置棚
１６    低摩擦部材
１７    設置部
１９    ダクト部
２１    外装板
２１ａ、２１ｂ  開口部
２２    アングル
２３    ヒンジピン
２４    隙間
２７    連結通路
３０    吐出通路
３０ａ、３０ｂ  吐出口
３１    左通路
３２    右通路
３３    分配部
３４    戻り通路
３４ａ  戻り口
３４ｂ  連通口
３５    冷蔵室ダンパ
３７    部材
４０    ランプ
４２    ランプ室
４５    除霜ヒータ
４６    ドレンパン
４７    ドレンパイプ
【図１】
2010025457.tif 000003
【図２】
2010025457.tif 000004
【図３】
2010025457.tif 000005
【図４】
2010025457.tif 000006
【図５】
2010025457.tif 000007
【図６】
2010025457.tif 000008
【図７】
2010025457.tif 000009